(57)【要約】【課題】音声ソケットコネクタとナットの組合せ構造の提供。【解決手段】本考案は一種の音声ソケットコネクタに関わるもので、主に絶縁本体および端子組より構成する。絶縁本体は第１部主体部を有し、該第１主体部の底部表面より下方に突き出してナット取付機構を設け、ナット取付機構は本体を有し、本体の一つの端面に縦方向に延ばした凹み溝を設け、該凹み溝の裏表面を凹んで縦方向に延ばした掛け合い溝を設ける。本体他端の端面に該凹み溝と同じ心軸を備えたサイズが小さいねじ挿入孔を設け、該ねじ挿入孔と該凹み溝につなぎ、該つなぎ場所に支え壁を形成する。前記の構成要素により、本考案の音声ソケットコネクタと組み合わせるナットの取り外し可能を実現する。【選択図】図４
0003126266.tif 000002
【実用新案登録請求の範囲】
【請求項１】
音声ソケットコネクタを設け、該音声ソケットコネクタに絶縁本体と端子組を設ける、該絶縁本体に第１主体部を設け、該第１主体部に第１側壁、第２側壁、底壁および天面を設け、該第１主体部はさらに、接ぎ合わせ接続面を設け、第１主体部は接ぎ合わせ接続面に挿接孔を設け、第１主体部の側壁より下方に延ばしてナット取付機構を設ける、ナット取付機構は本体を有し、本体の一端に縦方向に延ばした凹み溝を設け、該凹み溝の裏表面は縦方向に延ばして掛け合い溝を設ける、本体他端の端面に該凹み溝と同じ心軸を備えたサイズが小さいねじ挿入孔を設け、該ねじ挿入孔と該凹み溝につなぎ、該つなぎ場所に支え壁を形成する、および、
ナットを設け、ナットは凹み溝に収容する第２主体部を有し、第２主体部に挿接面を設け、該挿接面に縦方向に貫通するねじ収容溝を設け、第２主体部の外側を突き出して、該ナット取付機構に備える掛け合い溝の掛け合い部と掛け合う構成要素を備えた、一種の音声ソケットコネクタとナットの組合せ構造。
【請求項２】
該第１主体部は底壁先端より下方にナット取付機構延ばす、該本体に前部端面と後部端面を有し、該凹み溝は後部端面に設け、該ねじ挿入孔は前部端面に設けることを特徴とする請求項１記載の音声ソケットコネクタとナットの組合せ構造。
【請求項３】
該凹み溝は下方の底壁の底部に延ばすことを特徴とする請求項１記載の音声ソケットコネクタとナットの組合せ構造。
【請求項４】
該凹み溝は底壁にある部分は底壁の底面より後方に延ばして、断面が円弧状を形成する案内溝であることを特徴とする請求項３記載の音声ソケットコネクタとナットの組合せ構造。
【請求項５】
該凹み溝の裏表面両側に引き込んで、縦方向に延ばして断面は上下に延ばした矩形の掛け合い溝を設ける、該第２主体部は両側の外部に突き出して該掛け合い部を形成することを特徴とする請求項１記載の音声ソケットコネクタとナットの組合せ構造。
【請求項６】
該本体に備える凹み溝の周縁部に第１角取り部を設けることを特徴とする請求項１記載の音声ソケットコネクタとナットの組合せ構造。
【請求項７】
該本体はねじ挿入孔を備えた端面に、ねじ挿入孔の周縁部おいて、第２角取り部を設けることを特徴とする請求項１記載の音声ソケットコネクタとナットの組合せ構造。
【請求項８】
該ナットの挿接面の外縁部に第３角取り部を設けることを特徴とする請求項１記載の音声ソケットコネクタとナットの組合せ構造。
【請求項９】
該ナットのねじ収容溝の寸法はねじ挿入孔より小さく設け、該挿接面はねじ収容溝の周縁部に第４角取り部を設けることを特徴とする請求項１記載の音声ソケットコネクタとナットの組合せ構造。
【請求項１０】
絶縁本体と端子組を設け、該絶縁本体に第１主体部を設け、該第１主体部に第１側壁、第２側壁、底壁および天面を設ける、該第１主体部はさらに接ぎ合わせ接続面を設け、第１主体部は接ぎ合わせ接続面に挿接孔を設け、第１主体部の側壁より下方に延ばしてナット取付機構を設ける、ナット取付機構は本体を有し、本体の一端は縦方向に延ばした凹み溝を設け、該凹み溝の裏表面は縦方向に延ばして掛け合い溝を設ける、本体他端の端面に該凹み溝と同じ心軸を備えたサイズが小さいねじ挿入孔を設け、該ねじ挿入孔と該凹み溝につなぎ、該つなぎ場所に支え壁を備える、一種の音声ソケットコネクタ。
【考案の詳細な説明】
【技術分野】
【０００１】
本考案は一種の音声ソケットコネクタ、特に一種のナット取付機構を備えた音声ソケットコネクタとナットとの組合せ構造に関わるものである。
【背景技術】
【０００２】
電子技術の発展につれて、音声効果を備えた音声ソケットコネクタは音響製品に幅広く応用されている。その主な機能は、二つのシステム間の音声信号伝送を提供するものである。特に、ここ数年に様々なコンパクト型電子製品の発売およびその発展により、音声ソケットコネクタはこの類の製品への応用はさらに重要である。
【０００３】
一種の音声ソケットコネクタ、主に絶縁本体と該絶縁本体に収容する複数の端子より構成する。該音声ソケットコネクタを取りつけるため、該絶縁本体の底壁から突き出してナット取付機構を設け、該ナット取付機構はナットを一体化成型により形成する。該ナットはねじと組合せた後、該音声ソケットコネクタを外部機構に取りつける。
【０００４】
しかしながら、この種の音声ソケットコネクタは絶縁本体に備えるナット取付機構と組み合わせるナットは一体化成型構造のため、ナットが破損したとき、絶縁本体より取り外すことができなくなり、絶縁本体全体の使用ができない。その上、この種の音声ソケットコネクタを生産するとき、埋め込み金型（Ｉｎｓｅｒｔ  ｍｏｌｄ）設計のため、製品コストが割高となる。
【考案の開示】
【考案が解決しようとする課題】
【０００５】
前記した公知技術の欠点を鑑みて、音声ソケットコネクタおよびこれに組み合わせるナットを含めた、一種の音声ソケットコネクタとナットの組合せ機構を提供することを本考案の一つの目的とする。該音声ソケットコネクタは絶縁本体および端子組より構成する。該絶縁本体は第１主体部を有し、該第１主体部に第１側壁、第２側壁、底壁および天面を設ける。該第１主体部に接ぎ合わせ接続面を設け、第１主体部の接ぎ合わせ接続面に挿接孔を設ける。第１主体部の底壁より下方に突き出してナット取付機構を設け、ナット取付機構は本体を有する。本体一端に縦方向に延ばした凹み溝を設け、該凹み溝の裏表面は引き込んで縦方向に延ばす掛け合い溝を設け、本体他端の端面に該凹み溝と同じ心軸を備えたサイズが小さいねじ挿入孔を設ける。該ねじ挿入孔と該凹み溝につなぎ、該つなぎ場所に支え壁を形成する。該ナットは凹み溝に収容する第２主体部を有し、第２主体部に挿接面を設け、該挿接面に縦方向に貫通するねじ収容溝を設ける。第２主体部の外側を突き出して、該ナット取付機構に備える掛け合い溝の掛け合い部と掛け合う。
【０００６】
主に絶縁本体および端子組より構成する一種の音声ソケットコネクタを提供することを本考案のもう一つの目的とする。該絶縁本体は第１主体部を有し、該第１主体部に第１側壁、第２側壁、底壁および天面を設ける。該第１主体部に接ぎ合わせ接続面を設け、第１主体部の接ぎ合わせ接続面に挿接孔を設ける。第１主体部の底壁より下方に突き出してナット取付機構を設け、ナット取付機構は本体を有する。
【０００７】
本体一端に縦方向に延ばした凹み溝を設け、該凹み溝の裏表面は引き込んで縦方向に延ばす掛け合い溝を設け、本体他端の端面に該凹み溝と同じ心軸を備えたサイズが小さいねじ挿入孔を設ける。該ねじ挿入孔と該凹み溝につなぎ、該つなぎ場所に支え壁を形成する。
【０００８】
前記の説明により、本考案の音声ソケットコネクタとナットの組合せ構造は、前記のナット取付機構とナットとの組合せ機構により、本考案の音声ソケットコネクタと組み合わせるナットの取り外し可能を実現し、ナットの破損による絶縁本体全体が使用できない現象を解消し、コスト軽減を実現できる。
【課題を解決するための手段】
【０００９】
請求項１の考案は、音声ソケットコネクタを設け、該音声ソケットコネクタに絶縁本体と端子組を設ける、該絶縁本体に第１主体部を設け、該第１主体部に第１側壁、第２側壁、底壁および天面を設け、該第１主体部はさらに、接ぎ合わせ接続面を設け、第１主体部は接ぎ合わせ接続面に挿接孔を設け、第１主体部の側壁より下方に延ばしてナット取付機構を設ける、ナット取付機構は本体を有し、本体の一端に縦方向に延ばした凹み溝を設け、該凹み溝の裏表面は縦方向に延ばして掛け合い溝を設ける、本体他端の端面に該凹み溝と同じ心軸を備えたサイズが小さいねじ挿入孔を設け、該ねじ挿入孔と該凹み溝につなぎ、該つなぎ場所に支え壁を形成する、および、
ナットを設け、ナットは凹み溝に収容する第２主体部を有し、第２主体部に挿接面を設け、該挿接面に縦方向に貫通するねじ収容溝を設け、第２主体部の外側を突き出して、該ナット取付機構に備える掛け合い溝の掛け合い部と掛け合う構成要素を備えた、一種の音声ソケットコネクタとナットの組合せ構造としている。
請求項２の考案は、該第１主体部は底壁先端より下方にナット取付機構延ばす、該本体に前部端面と後部端面を有し、該凹み溝は後部端面に設け、該ねじ挿入孔は前部端面に設けることを特徴とする請求項１記載の音声ソケットコネクタとナットの組合せ構造としている。
請求項３の考案は、該凹み溝は下方の底壁の底部に延ばすことを特徴とする請求項１記載の音声ソケットコネクタとナットの組合せ構造としている。
請求項４の考案は、該凹み溝は底壁にある部分は底壁の底面より後方に延ばして、断面が円弧状を形成する案内溝であることを特徴とする請求項３記載の音声ソケットコネクタとナットの組合せ構造としている。
請求項５の考案は、該凹み溝の裏表面両側に引き込んで、縦方向に延ばして断面は上下に延ばした矩形の掛け合い溝を設ける、該第２主体部は両側の外部に突き出して該掛け合い部を形成することを特徴とする請求項１記載の音声ソケットコネクタとナットの組合せ構造としている。
請求項６の考案は、該本体に備える凹み溝の周縁部に第１角取り部を設けることを特徴とする請求項１記載の音声ソケットコネクタとナットの組合せ構造としている。
請求項７の考案は、該本体はねじ挿入孔を備えた端面に、ねじ挿入孔の周縁部おいて、第２角取り部を設けることを特徴とする請求項１記載の音声ソケットコネクタとナットの組合せ構造としている。
請求項８の考案は、該ナットの挿接面の外縁部に第３角取り部を設けることを特徴とする請求項１記載の音声ソケットコネクタとナットの組合せ構造としている。
請求項９の考案は、該ナットのねじ収容溝の寸法はねじ挿入孔より小さく設け、該挿接面はねじ収容溝の周縁部に第４角取り部を設けることを特徴とする請求項１記載の音声ソケットコネクタとナットの組合せ構造としている。
請求項１０の考案は、絶縁本体と端子組を設け、該絶縁本体に第１主体部を設け、該第１主体部に第１側壁、第２側壁、底壁および天面を設ける、該第１主体部はさらに接ぎ合わせ接続面を設け、第１主体部は接ぎ合わせ接続面に挿接孔を設け、第１主体部の側壁より下方に延ばしてナット取付機構を設ける、ナット取付機構は本体を有し、本体の一端は縦方向に延ばした凹み溝を設け、該凹み溝の裏表面は縦方向に延ばして掛け合い溝を設ける、本体他端の端面に該凹み溝と同じ心軸を備えたサイズが小さいねじ挿入孔を設け、該ねじ挿入孔と該凹み溝につなぎ、該つなぎ場所に支え壁を備える、一種の音声ソケットコネクタとしている。
【考案の効果】
【００１０】
本考案の音声ソケットコネクタとナットの組合せ構造は、前記のナット取付機構とナットとの組合せ機構により、本考案の音声ソケットコネクタと組み合わせるナットの取り外し可能を実現し、ナットの破損による絶縁本体全体が使用できない現象を解消し、コスト軽減を実現できる。
【考案を実施するための最良の形態】
【００１１】
図１から図４に示すものは、本考案の音声ソケットコネクタとナットの組合せ構造１は、音声ソケットコネクタ１０とこれに組み合わせるためのナット２０より構成する。そのうち、音声ソケットコネクタ１０は絶縁本体１００および該絶縁本体１００に収容する端子組２００を有する。
【００１２】
絶縁本体１００は第１主体部１１０を有し、該第１主体部１１０は柱形状をなし、第１側壁１１１、第２側壁１１２、底壁１１３および断面が円弧状の天板１１４を有する。該第１主体部１１０に接ぎ合わせ接続面１１５を有し、第１主体部１１０は接ぎ合わせ接続面１１５に挿接孔１１６を設け、ソケットコネクタ（図式略）の接ぎ合わせ接続に備える。該挿接孔１１６は後部の第１主体部１１０を貫通する。第１主体部１１０は天面１１４と第１側壁１１１より後方に一対の第１端子収容溝１１７を設ける。第１主体部１１０は天面１１３と第２側壁１１２より後方に一対の第２端子収容溝１１８を設ける。第１主体部１１０はさらに、第１側壁１１１、第２側壁１１２および底壁１１３後部の上部に第３端子収容溝１１９、下部に第４端子収容溝１３０それぞれ設ける。第１主体部１１０は底壁１１３の前部端面より下方に延ばしてナット取付機構３０を設ける。
【００１３】
ナット取付機構１３０は矩形状の本体１３１を有する。本体１３１に前部端面１３２と後部端面１３３を設け、凹み溝１３４を後部端面１３３に設ける。該凹み溝１３４は円柱状を設け、前方の縦方向の前部端面１３２付近部より、下方に該底壁１１３の底部に延ばす。該凹み溝１３４の該底壁１１３に所在する部分は底壁１１３の底部より、後部の底壁１１３後部に延ばして、底壁１１３の底部に断面が円弧状を形成する案内溝１３５を設けて、該ナット２０の挿入に備える。該凹み溝１３４裏表面の両側に、縦方向に延ばし断面が上下に延ばす矩形の掛け合い溝１３６を設ける。該凹み溝１３４と掛け合い溝１３６を合せて、ナット２０の形状に適したナット収容溝を構成する。該後部端面１３２はさらに、凹み溝１３４の周縁部に第１角取り部１３７を設け、該ナット２０挿入に備える。本体１３１は前部端面１３２に該凹み溝１３４と同じ心軸を備えたサイズが小さいねじ挿入孔１３８を設け、該ねじ挿入孔１３８の後部は該凹み溝１３４に連絡し、該連絡場所に輪状の支え壁１３９（図６）を設ける。該前部端面１３３はねじ挿入孔１３８前部の周りに第２角取り部１４０を設ける。
【００１４】
端子組２００は第１端子２１０、第２端子２３０及びスイッチ端子はそれぞれ一対を設ける。該スイッチ端子は、可動端子２３０と取付端子２４０を有する。
【００１５】
第１端子２１０は基板２１１を有し、基板２１１は後部に延ばして接触部２１２を形成する。基板２１１の両側は、下方に延ばして円弧状の第１脇アーム２１３を形成する。そのうち、一つの第１脇アーム２１３の末端部は縦方向に下方に延ばして板状の第２脇アーム２１４を形成し、第２脇アーム２１４は内側に横方向に延ばして第１挿入部２１５を設け、もう一つの第１脇アーム２１３の末端部は縦方向に下方に延ばして第２挿入部２１６を設ける。そのうち、該基板２１１、二つの第１脇アーム２１３および第２脇アーム２１４より第１把持部を構成する。該第１挿入部２１５の表面と第２挿入部２１６の裏表面にそれぞれ第１突起部２１７を設ける。
【００１６】
第２端子２２０はおおむねＬ字型の第２把持部を形成し、第２把持部は横方向に延ばした第１分枝２２１と縦方向に延ばした第２分枝２２２をそれぞれも受ける。そのうち、第１分枝２２１の内側に上方に延ばして第２接触部２２３を設け、第１分枝２２１の外側に第１折れ潰し部２２４を形成し、第２分枝２２２の末端部は縦方向に下方に延ばして第１挿入ピン２２５を設ける。
【００１７】
可動端子３３０は板状の第３保持部２３１を有し、第３保持部３３１は後部の外側に縦方向に下方に延ばして第２挿入ピン２３２を設け、中央部に第２折れ潰し部２３３を設ける。中央部の他端に第２突起部２３４を設ける。第３保持部３３１前面の中央部は上方に屈折しながら延ばして、円弧状連結部２３５を形成し、連結部２３５の末端部は上方と後方に延ばして第３接触部２３６を設け、第３接触部２３６は末端より後方に延ばして、スイッチ部３３７を設ける。
【００１８】
固定端子２４０は第４把持部を有し、第４把持部は横方向に延ばした基板２４１、および基板２４１の一端から縦方向に延ばしたＬ字型の側板２４２を設ける。そのうち、基板２４１の他端より縦方向に延ばした第３挿入ピン２４３を設け、底部の中央場所より下方に延ばして該スイッチ部２３７と組み合わせる支え部２４５を設け、側板２４２の天面に第３突起部２４４を設ける。
【００１９】
ナット２０は円柱状を形成し、凹み溝１３４に適した第２主体部２１を設け、第２主体部２１に円形挿接面２２を設ける。挿接面２２にねじ挿入孔１３８より小さい寸法のねじ収容溝２３を開けて、ねじ（図式略）を収容する。該ねじ収容溝２３は後方に備える第２主体部２１を貫通する。挿接面２２の外縁に第３角取り部２４を設け、挿接面２２はねじ収容溝２３の周縁部に第４角取り部２５を設ける。第２主体部２１は両側に突き出してナット取付機構１３０の掛け合い溝１３６に適した掛け合い部２６を形成する。
【００２０】
引き続きに、音声ソケットコネクタとナットの組合せ構造１の組合せ手順を説明する。
【００２１】
図１から図６を併せて参照する。該端子組２００に備える第１、第２、第３及び第４把持部は絶縁本体１００の第１、第２、第３及び第４端子収容溝１１７、１１８、１１９、１２０にそれぞれ組み込む。該第１端子２１０は該第１、第２挿入部２１５、２１６及び第１突起部２１７により、絶縁本体１００と掛け合う。該第２端子２２０とスイッチ端子は、第２、第３突起部２３４、２４４及び第１、第２折れ潰し部２２４、２３３は絶縁本体１００とそれぞれ掛け合う。該挿入ピン２２５、３３２、２４３は絶縁本体１００の底壁１１３にそれぞれ露出しておき、外部の電気回路板（図式略）に挿入する。該第１、第２及び第３接触部２１２、２２２、２３６は天板１１４、底壁１１３よりそれぞれ該挿接孔１１６に延ばす。
【００２２】
ナット２０を該ナット取付機構１３０本体１３１の後部端面１３３後部の案内溝１３５に取りつけて、挿接面２２を該後部端面１３３に向かわせる。ナット２０は案内溝１３５の案内および第１角取り部１３７と第３角取り部角２４が併せて案内により、該本体１３１の後部端面１３３より該ナット収容溝に挿入する。そのうち、第２主体部２１は丁度凹み溝１３４に納められ、第２主体部２１の挿接面２２は該支え壁１３９に支えておき、掛け合い部２６を該掛け合い溝１３６に掛け合う。
【００２３】
音声ソケットコネクタ１０とナット２０と組合せた後、接ぎ合わせ接続ねじ（図式略）は該第２角取り部１４０の案内により、該本体１３１前部端面よりねじ挿入孔１３８に挿入し、該第４角取り部２５の案内により、前記ナット２０のねじ収容溝２３に延ばす。
【００２４】
該説明により、本考案の音声ソケットコネクタとナットの組合せ構造は、該ナット取付機構１３０とナット２０との組合せ機構により、本考案の音声ソケットコネクタ１０と組み合わせるナット２０の取り外し可能を実現し、ナットの破損による絶縁本体１００全体が使用できない現象を解消し、コスト軽減を実現できる。
【００２５】
このほか、本考案の音声ソケットコネクタとナットの組合せ構造１は、前記した実施方法法に限られない。一例として、該ナット取付機構１３０は底壁１１３の前部端面より延ばすほか、その中央部、後部より延ばしても良い。該凹み溝１３４とねじ挿入孔１３８は後部端面１３３と前部端面１３２それぞれに分けて取りつける代わりに、該凹み溝１３４は前部端面１３２に設けて、ねじ挿入孔１３８はこれに合せて後部端面１３３に開けても良い。
【図面の簡単な説明】
【００２６】
【図１】本考案の音声ソケットコネクタとナットとの立体組合せ図である。
【図２】本考案の音声ソケットコネクタとナットとの立体分解図である。
【図３】本考案の音声ソケットコネクタとナットと組合せのもう一つの視角による立体組合せ図である。
【図４】本考案の音声ソケットコネクタとナットと組合せのもう一つの視角による立体分解図である。
【図５】本考案の音声ソケットコネクタとナットとの絶縁本体の構造概略図である。
【図６】図５におけるＡ−Ａの断面図である。
【符号の説明】
【００２７】
１  音声ソケットコネクタとナットの組合せ構造
１０  音声ソケットコネクタ
２０  ナット
２１  第２主体部
２２  挿接面
２３  ねじ収容溝
２４  第３角取り部
２５  第４角取り部
２６  掛け合い部
１００  絶縁本体
１１０  第１主体部
１１１  第１側壁
１１２  第２側壁
１１３  底壁
１１４  天板
１１５  接ぎ合わせ接続面
１１６  挿接孔
１１７  第１端子収容溝
１１８  第２端子収容溝
１１９  第３端子収容溝
１２０  第４端子収容溝
１３０  ナット取付機構
１３１  本体
１３２  前部端面
１３３  後部端面
１３４  凹み溝
１３５  案内溝
１３６  掛け合い溝
１３７  第１角取り部
１３８  ねじ挿入孔
１３９  支え壁
１４０  第２角取り部
２００  端子組
２１０  第１端子
２１１、２４１  基板
２１２  第１接触部
２１３  第１脇アーム
２１４  第２脇アーム
２１５  第１挿入部
２１６  第２挿入部
２１７  第１突起部
２２０  第２端子
２２１  第１分枝
２２２  第２分枝
２２３  第２接触部
２２４  第１折れ潰し部
２２５  第１挿入ピン
２３０  可動端子
２３１  第３保持部
２３２  第２挿入ピン
２３３  第２折れ潰し部
２３４  第２突起部
２３５  連結部
２３６  第３接触部
２３７  スイッチ部
２４０  取付端子
２４２  側板
２４３  第３挿入ピン
２４４  第３突起部
２４５  支え部
【図１】
0003126266.tif 000003
【図２】
0003126266.tif 000004
【図３】
0003126266.tif 000005
【図４】
0003126266.tif 000006
【図５】
0003126266.tif 000007
【図６】
0003126266.tif 000008